(57)【要約】【課題】子供が組み立て玩具を組み立てる際に、組立パーツを放り出しても各パーツが散らからず、紛失を防ぐことが可能であり、かつコンパクトに折り畳んで携帯および収納が容易な玩具組立用トレイの提供。【解決手段】周縁部２ａにピアノ線４を設けた柔軟なシート状の底部２と、この底部２の周縁部２ａを囲うように立ち上げられた柔軟な周壁部３とから構成される玩具組立用トレイ１である。子供は、組み立て玩具の組立パーツＰをこの玩具組立用トレイ１上に放り出し、使用する組立パーツＰを探し出して組み立てることができる。このとき、底部２上に放り出された組立各パーツＰは、この底部２の周縁部２ａが周壁部３に囲まれているため、周壁部３より外に飛び出すことがない。【選択図】図１
2008272208.tif 000002
【特許請求の範囲】
【請求項１】
周縁部に復元性を有する線材を設けた柔軟なシート状の底部と、
この底部の周縁部を囲うように立ち上げられた柔軟な周壁部と
から構成される玩具組立用トレイ。
【請求項２】
前記周壁部は、前記底部の上面からの高さが３〜２０ｃｍであることを特徴とする請求項１記載の玩具組立用トレイ。
【請求項３】
前記底部は、網状であることを特徴とする請求項１または２に記載の玩具組立用トレイ。
【発明の詳細な説明】
【技術分野】
【０００１】
本発明は、ブロック、積み木やビーズ等の散乱および紛失しがちな多くのパーツからなる組み立て玩具を組み立てる際に使用する玩具組立用トレイに関する。
【背景技術】
【０００２】
相互に結合するプラスチック製の玩具ブロックが知られている。特許文献１に記載のように、この玩具ブロックは、ブロックの上部に数個の突起を有し、底部は長方形の空洞となっている。この玩具ブロックは、相互に結合および分離することが容易であり、様々な形状に組み立てることが可能である。
【０００３】
また、近年では、特許文献２に記載のように、多数の異なる組立パーツを備え、各パーツを組立マニュアルにしたがって相互に結合することにより所定の玩具模型を組み立てるものがある。子供は、この玩具模型を組み立てようとする場合、各パーツを机や床等の上に放り出し、組立マニュアルにしたがって組み立てに使用するパーツを探し出す。
【０００４】
【特許文献１】米国特許第３００５２８２号公報
【特許文献２】特表２００１−５１９６９１号公報
【発明の開示】
【発明が解決しようとする課題】
【０００５】
ところで、特許文献２に記載のような多数の異なる組立パーツにより所定の玩具模型を組み立てるものでは、パーツを一つでも紛失してしまうと玩具模型を完成させることができなくなる。そのため、組み立てに使用するパーツを探し出す際は、各パーツを注意深く広げる必要があるが、パーツを探すのに夢中になっている子供に注意深く作業させることは無理である。
【０００６】
そこで、本発明においては、子供が組み立て玩具を組み立てる際に、組立パーツを放り出しても各パーツが散らからず、紛失を防ぐことが可能であり、かつコンパクトに折り畳んで携帯および収納が容易な玩具組立用トレイを提供することを目的とする。
【課題を解決するための手段】
【０００７】
本発明の玩具組立用トレイは、周縁部に復元性を有する線材を設けた柔軟なシート状の底部と、この底部の周縁部を囲うように立ち上げられた柔軟な周壁部とから構成されるものである。子供は、組み立て玩具の組立パーツを本発明の玩具組立用トレイ上に放り出し、使用するパーツを探し出して組み立てることができる。このとき、底部上に放り出された各パーツは、この底部の周縁部が周壁部に囲まれているため、周壁部より外に飛び出すことがない。また、組み立て玩具の使用後は、本発明の玩具組立用トレイ内の各パーツをそのままケース等へ移し替えるだけで良い。また、本発明の玩具組立用トレイは、不使用時には底部を捻ることによりコンパクトに折り畳むことができるとともに、使用時には底部の捻りを開放すれば底部の周縁部に設けた線材の復元性により簡単に元の状態へと戻すことができ、すぐに使用することができる。
【０００８】
ここで、周壁部は、底部の上面からの高さが３〜２０ｃｍ、より好ましくは５〜１５ｃｍ、さらに好ましくは８〜１０ｃｍであることが望ましい。周壁部の高さが３ｃｍ以上であれば、一般的に組み立て玩具に使用される背の低いパーツであっても周壁部を乗り越えて飛び出してしまうのを防止することができる。また、周壁部の高さが５ｃｍ以上であれば、放り出された組立パーツが底部で跳ねても周壁部を乗り越えて飛び出してしまうのを防止することができる。さらに、周壁部の高さが８ｃｍ以上であれば、一般的に組み立て玩具に使用される背の高いパーツであっても周壁部を乗り越えて飛び出してしまうのを防止することができる。一方、周壁部の高さが２０ｃｍ以下であれば、子供が手を伸ばした際に、周壁部を越えて底部上のパーツから使用するパーツを容易に探し出すことができる。また、１５ｃｍ以下であれば、折り畳む際に底部を捻り易いが、特に１０ｃｍ以下であればより簡単に捻って折り畳むことができる。なお、高さが３ｃｍ未満の場合には、各パーツが周壁部を乗り越えて飛び出しやすくなってしまう。また、高さが２０ｃｍ超の場合には、子供が手を伸ばした際に周壁部が障害となることがある。
【０００９】
また、底部は、網状であることが望ましい。底部が網状であることにより、底部を折り畳む際に空気が抜けるので、内側に空気が溜まることがなく、本発明の玩具組立用トレイを容易に捻ってコンパクトに折り畳むことが可能となる。なお、底部は、網状でない構成とすることも可能であり、布製やビニール製などとすることが可能であるが、破れにくく、折りが付きにくいものであることが好ましい。
【発明の効果】
【００１０】
（１）周縁部に復元性を有する線材を設けた柔軟なシート状の底部と、この底部の周縁部を囲うように立ち上げられた柔軟な周壁部とから構成されるので、子供が、組み立て玩具の組立パーツを底部上に放り出しても周壁部より外に飛び出すことがなく、各パーツが散らからず、また紛失を防止することができる。また、組み立て玩具の使用後は、本発明の玩具組立用トレイ内の各パーツをそのままケース等へ移し替えるだけで良く、後片付けが簡単である。また、本発明の玩具組立用トレイでは、パーツがトレイ内に保持されているため、各パーツをケース等へ移し替えて後片付けを行う際、床等の上に直接広げられたパーツを寄せ集めて片付けを行う場合に比べて、塵埃や髪の毛といった屑がケース等へ入ってしまうことが防止され、衛生的である。また、本発明の玩具組立用トレイは、不使用時には底部を捻ることによりコンパクトに折り畳むことができ、携帯および収納時に嵩張ることがない。そのため、どこにでも持ち運び、広げて遊ぶことが可能であり、また、各組立パーツとともにケースに収納することも可能であり、便利である。さらに、使用時には底部の捻りを開放するだけで簡単に元の状態へと戻るので、すぐに使用することができる。
【００１１】
（２）周壁部の高さが３〜２０ｃｍであることによって、一般的に組み立て玩具に使用される背の低いパーツから背の高いパーツまで周壁部を乗り越えて飛び出してしまうのを防止することが可能となる。
【００１２】
（３）底部が、網状であれば、折り畳む際に空気が抜けるので、内側に空気が溜まることがなく、コンパクトに折り畳むことが可能となる。
【発明を実施するための最良の形態】
【００１３】
図１は本発明の実施の形態における折り畳み可能な玩具組立用トレイの斜視図、図２は図１のＡ部拡大断面図、図３は図１の玩具組立用トレイの折り畳み状態を示す斜視図である。
【００１４】
図１に示すように、本発明の実施の形態における玩具組立用トレイ１は、柔軟なシート状の底部２と、この底部２の周縁部を囲うように立ち上げられた柔軟な周壁部３とから構成される。底部２は、半径の等しい２つの対向する半円を直線で繋いだ形状（陸上競技のトラックのような形状）の網状体により形成されている。底部２の周縁部２ａは、図２に示すように袋状に形成されており、その内部には復元性を有する線材としてのピアノ線４が周回するように設けられている。
【００１５】
周壁部３は、図２に示すように筒状に形成された布状体３ａの内部に、スポンジ、ゴムや発泡スチロール等の板状の緩衝材３ｂを設けたものである。なお、周壁部３は、布状体で覆ったものでなくても、形が崩れにくく周壁となるものであればよい。例えば、幅のある布製のものやゴム製のもの、その他の広げた際に形が崩れにくく、畳む際に嵩張らないものであれば良い。周壁部３は、底部２の上面からの高さＨが８ｃｍ程度となるように形成されている。なお、この周壁部３の高さＨは、３〜２０ｃｍの範囲内で任意に設定することが可能である。
【００１６】
上記構成の玩具組立用トレイ１は上方が開放されており、子供は、組み立て玩具の組立パーツＰをこの玩具組立用トレイ１上に放り出し、使用するパーツを探し出して、この玩具組立用トレイ１内で組み立てることができる。このとき、底部２上に放り出された各組立パーツＰは、この底部２の周縁部２ａが所定の高さＨの周壁部３に囲まれているため、周壁部３より外に飛び出すことがなく、各組立パーツＰの紛失が防止される。また、組み立て玩具の使用後は、この玩具組立用トレイ１内の各組立パーツＰを一端部に寄せ集めてそのままケース等へ移し替えるだけで良く、後片付けが簡単に行える。
【００１７】
また、この玩具組立用トレイは、不使用時には、図３の（ａ）に示す状態から同図（ｂ）、（ｃ）に示すように底部２を２回捻ることにより、同図（ｄ）に示すように３重の輪状としてコンパクトに折り畳むことが可能であり、収納時に嵩張ることがない。また、使用時には、この底部２の捻りを開放するだけで、底部２の周縁部２ａに設けたピアノ線４の復元性により、簡単に図３（ａ）に示す元の状態へと展開して戻すことができ、すぐに使用することが可能である。
【００１８】
また、本実施形態における玩具組立用トレイ１では、周壁部３の高さＨが３〜２０ｃｍであるため、一般的に組み立て玩具に使用される背の低いパーツから背の高いパーツまで対応することが可能であり、各組立パーツＰがこの周壁部３を乗り越えて飛び出してしまうのを防止することが可能である。なお、使用する玩具によっては周壁部３の高さＨを上記範囲以外に設定することも可能である。
【００１９】
また、本実施形態における玩具組立用トレイ１では、底部２が網状であるため、底部２が弾性を有し、折り畳む際に底部２を容易に捻ることが可能となるうえ、展開時には容易に元の状態へと戻すことが可能である。また、底部２を折り畳む際に、この網状の空隙から空気が抜けるので、内側に空気が溜まることがなく、コンパクトに折り畳むことが可能である。
【００２０】
なお、本実施形態における玩具組立用トレイ１では、復元性を有する線材としてピアノ線を用いたが、図３の（ａ）に示す展開状態から図３の（ｄ）に示す状態へ折り畳み、また図３の（ｄ）に示す折り畳み状態から図３の（ａ）に示す展開状態へと復元することができれば良く、例えば形状記憶合金や、ばね材を用いることも可能である。
【００２１】
また、本実施形態における玩具組立用トレイ１では、底部２が半径の等しい２つの対向する半円を直線で繋いだ形状に形成されているが、底部２はこの形状に限らず、円形状、楕円形状、長方形状やその他、自由な形状に形成することも可能である。また、底部２の大きさは、子供がこの玩具組立用トレイ１の中に入らずに外から腕を伸ばして使用する態様を想定すれば、底部２が内接する長方形の長辺が３０ｃｍ〜２ｍ程度、短辺が３０ｃｍ〜１ｍ程度となるように形成することが望ましい。
【産業上の利用可能性】
【００２２】
本発明の玩具組立用トレイは、プラスチック製の玩具ブロックやその他の組み立て玩具を組み立てる際に使用する器具として有用である。
【図面の簡単な説明】
【００２３】
【図１】本発明の実施の形態における折り畳み可能な玩具組立用トレイの斜視図である。
【図２】図１のＡ部拡大断面図である。
【図３】図１の玩具組立用トレイの折り畳み状態を示す斜視図である。
【符号の説明】
【００２４】
１  玩具組立用トレイ
２  底部
２ａ  周縁部
３  周壁部
３ａ  布状体
３ｂ  緩衝材
４  ピアノ線
Ｐ  組立パーツ
【図１】
2008272208.tif 000003
【図２】
2008272208.tif 000004
【図３】
2008272208.tif 000005